(57)【要約】【課題】周囲に十分な作業スペースを確保できない場所に設置されたフランジ付きカバーを有する円筒状の機器に対して、正確に中心軸同士を一致させてフランジ付きカバーを効率よく取り付けることが可能で安価に製造できるフランジ付きカバー支持架台を提供する。【解決手段】フランジ付きカバー支持架台１は、台座２ａと調整ネジ２ｂからなるジャッキ２と、ジャッキ２が上面に設置される基台３と、水室カバー５５の側面の下部及び上部に対してそれぞれ当接可能に水平に設置される長尺状の受け具６及び押え具７が一対の連結棒８，８を介して連結されてジャッキ２の上部に設置される支持手段４と、胴部５３と水室カバー５５のフランジ５３ａ，５５ａのボルト孔５３ｂ，５５ｂに挿通されるガイドパイプ５を備えている。【選択図】図１
2018132270.tif 000002
【特許請求の範囲】
【請求項１】
開口端に第１のフランジが設けられた円筒体に対して第２のフランジを有するカバーを水平に移動させて取り付ける作業に用いられるフランジ付きカバー支持架台であって、
調整ネジが鉛直上向きに伸長可能に設置されるジャッキと、
このジャッキが上面に載置される基台と、
前記調整ネジの上端に取り付けられる支持手段と、
前記第１のフランジと前記第２のフランジの各ボルト孔に挿通される棒状体と、を備えたことを特徴とするフランジ付きカバー支持架台。
【請求項２】
前記支持手段は、
水平方向と平行をなし前記カバーの側面下部に対して当接可能に設置され前記調整ネジの上端が固定される長尺状の受け具と、
この受け具と平行をなし前記カバーの側面上部に対して当接可能に設置される長尺状の押え具と、
外周面に雄ネジ部を有し鉛直方向と平行に設置される一対の連結棒と、からなり、
前記受け具と前記押え具は、前記カバーを間に挟む少なくとも２か所に、一対の前記連結棒の両端をそれぞれ挿通するための挿通孔が設けられたことを特徴とする請求項１に記載のフランジ付きカバー支持架台。
【請求項３】
前記ジャッキは、前記上面に沿ってスライド移動可能に前記基台に載置される平板状の台座と、この台座に下端が固定されて鉛直方向と平行に設置される前記調整ネジと、からなることを特徴とする請求項１又は請求項２に記載のフランジ付きカバー支持架台。
【請求項４】
前記ジャッキの前記台座は平面視矩形状をなし、
前記基台の前記上面には、断面がＬ字状をなす一対のガイド部材が前記台座を間に挟むように背中合わせの状態で互いに平行をなすように設置されたことを特徴とする請求項３に記載のフランジ付きカバー支持架台。
【請求項５】
外周面に雄ネジ部を有する脚部を備え、
前記基台には、この脚部が挿通される挿通孔が設けられたことを特徴とする請求項１乃至請求項４のいずれか１項に記載のフランジ付きカバー支持架台。
【発明の詳細な説明】
【技術分野】
【０００１】
本発明は、フランジ付きカバーを有する機器の開放点検作業等において用いられるフランジ付きカバー支持架台に係り、特に、分解作業や組立作業の際に十分なスペースを確保できない場合でも使用できるフランジ付きカバー支持架台に関する。
【背景技術】
【０００２】
原子炉給水ポンプの軸受で使用された潤滑油を冷却するために、油冷却器が用いられることがある。この油冷却器については、水室カバー等を取り外して内部の点検を行う、いわゆる「開放点検」が定期的に実施される。点検後は、水室カバー等の部品が元の状態に戻されることになるが、水密性や気密性を担保するため、それらの組み付け作業は常に高い精度で行う必要がある。
【０００３】
ここで、油冷却器の構造について図５及び図６を用いて説明する。  
図５（ａ）は油冷却器の外観図であり、図５（ｂ）は図５（ａ）における水室カバーとその周辺部を拡大した縦断面図である。すなわち、図５（ｂ）は図５（ａ）において水室カバーとその周辺部を拡大するとともに、胴部の円筒軸を含む平面によって鉛直方向に切断した状態を示している。また、図５（ｃ）はフランジの平面図であり、図５（ｄ）はＯリングと環状板の平面図である。さらに、図６（ａ）及び図６（ｂ）は図５（ｂ）におけるＡ部を拡大して示した図である。なお、図６（ａ）は水室カバーが胴部に対して正しく取り付けられた状態を示し、図６（ｂ）は水室カバーが胴部に対して傾いて取り付けられた状態を示している。
【０００４】
図５及び図６に示すように、油冷却器５１は、発電所等の建屋の床面に固定された支持台５２の上に、軸方向が水平となるように設置される円筒状の胴部５３と、この胴部５３の内部に収容される複数のチューブ（図示せず）と、このチューブの端部が挿通される複数の挿通孔を有するチューブプレート５４を備えている。
フランジ５３ａが設けられた胴部５３の両端には、水室カバー５５，５５が設置されており、水室カバー５５は、フランジ５５ａがフランジ５３ａにボルト（図示せず）を用いて連結されることにより胴部５３に固定される。また、フランジ５３ａ，５５ａは複数のボルト孔５３ｂ，５５ｂを有しており、互いに対向する端面には、胴部５３に水室カバー５５を取り付ける際にＯリング５７と環状板５８をそれぞれ埋設するための環状溝５６ａ，５６ｂがそれぞれ設けられている。
【０００５】
後述するように、水室カバー５５側のＯリング５７は、胴部５３に水室カバー５５を取り付ける前にチューブプレート５４へ外挿され、フランジ５５ａの環状溝５６ｂとチューブプレート５４と環状板５８によって押し潰されながら環状溝５６ａの内部に嵌め込まれる。そのため、図６（ｂ）に示すように水室カバー５５が傾いた状態で胴部５３に取り付けられると、フランジ５５ａの環状溝５６ｂの角部がＯリング５７を噛み込み易く、場合によっては、Ｏリング５７に亀裂が生じてしまうことがある。
【０００６】
フランジ５５ａのＯリング５７への噛み込みを防ぐには、胴部５３に対し中心軸同士を正確に一致させた状態で水室カバー５５を取り付ける必要がある。しかしながら、胴部５３に対する水室カバー５５の取り付け精度は、作業者の技量に負うところが大きい。また、油冷却器５１の周囲には、十分な作業スペースを確保できない場合も多い。そのため、従来、水室カバー５５を胴部５３に対して正確に中心軸同士を一致させて効率よく取り付けることは容易ではないという課題があった。
【０００７】
油冷却器に限らず、各種の機器の点検作業においては、点検終了後に、重量のある部品を効率よく正確に組み立てることが求められており、その要求を満たすものとして、従来、様々な技術が提案されている。そして、それに関し、既に幾つかの発明や考案が開示されている。
例えば、特許文献１には、「熱交換器用吊上げ治具」という名称で、発電プラント等に設置された熱交換器の開放点検作業において用いられる治具に関する発明が開示されている。
この発明は、チェーンブロックによって吊り上げられた水室胴を、パンタグラフジャッキにより高さを調整可能な受梁に取り付けられた受け具によって下方から支持することを特徴としている。
このような構造によれば、熱交換器の開放点検時に、熱交換器から取り外された水室胴を保持して水平に搬送することができる。
【０００８】
また、特許文献２には、「インペラの片持ち主軸の点検治具及び点検方法」という名称で、大型の送風機や排風機などに用いられるインペラ（羽根車）を片持ち状に支持する主軸を点検する際に用いられる治具とその点検方法に関する発明が開示されている。
この発明は、油圧ジャッキを有するとともに、インペラの下端部とケーシングの底面との間に配置され、インペラを下方から支持可能に構成されたことを特徴としている。
このような構造によれば、軸受との連結を解除した場合でもインペラの片持ち主軸を下方から支持できるため、当該部品の分解点検が容易となる。
【先行技術文献】
【特許文献】
【０００９】
【特許文献１】特開２０１４−５９０８３号公報
【特許文献２】特開２０１２−１７２５９９号公報
【発明の概要】
【発明が解決しようとする課題】
【００１０】
特許文献１に記載された発明では、フランジ付きカバーと床面との間に車輪付きの台車等を配置できない場所では使用することができないため、水平に設置された油冷却器のようなフランジ付きカバーを有する円筒状の機器に対して中心軸同士を正確に一致させてフランジ付きカバーを水平に移動させることは容易でない。したがって、本発明は、周囲に十分な作業スペースを確保できない場所に当該機器が設置されている場合、その開放点検作業には使用できないという課題があった。また、治具の構造が大掛かりなものとなるため、製造コストが高くなるおそれがあった。
【００１１】
また、特許文献２に記載された点検治具では、支持した部品を水平方向へ移動可能な構造となっていないため、上述の機器がどのような場所に設置されているかに関わらず、その開放点検作業に使用することは困難である。
【００１２】
本発明はかかる従来の事情に対処してなされたものであって、周囲に十分な作業スペースを確保できない場所にフランジ付きカバーを有する円筒状の機器が設置されている場合であっても、その開放点検後にフランジ付きカバーを当該機器に対して正確に中心軸同士を一致させて効率よく取り付けることができるとともに、安価に製造することが可能なフランジ付きカバー支持架台を提供することを目的とする。
【課題を解決するための手段】
【００１３】
上記目的を達成するため、第１の発明は、開口端に第１のフランジが設けられた円筒体に対して第２のフランジを有するカバーを水平に移動させて取り付ける作業に用いられるフランジ付きカバー支持架台であって、調整ネジが鉛直上向きに伸長可能に設置されるジャッキと、このジャッキが上面に載置される基台と、調整ネジの上端に取り付けられる支持手段と、第１のフランジと第２のフランジの各ボルト孔に挿通される棒状体と、を備えたことを特徴とするものである。
【００１４】
このような構造のフランジ付きカバー支持架台においては、ジャッキを操作してカバーを支持している支持手段の高さを調節するとともに、第１のフランジと第２のフランジのボルト孔に棒状体を挿通して連通させることにより、カバーと円筒体の中心軸同士が正確に一致するという作用を有する。また、カバーを移動させる際に、円筒体に対するカバーの上述の位置関係が棒状体によって維持されるという作用を有する。
【００１５】
また、第２の発明は、第１の発明において、支持手段は、水平方向と平行をなしカバーの側面下部に対して当接可能に設置され調整ネジの上端が固定される長尺状の受け具と、この受け具と平行をなしカバーの側面上部に対して当接可能に設置される長尺状の押え具と、外周面に雄ネジ部を有し鉛直方向と平行に設置される一対の連結棒と、からなり、受け具と押え具は、カバーを間に挟む少なくとも２か所に、一対の連結棒の両端をそれぞれ挿通するための挿通孔が設けられたことを特徴とするものである。
【００１６】
このような構造のフランジ付きカバー支持架台においては、第１の発明の作用に加え、受け具と押え具の挿通孔に一対の連結棒の両端をそれぞれ挿通し、挿通孔から突出した両端の雄ネジ部分に螺合させたナットを締結することにより受け具と押え具が連結棒を介して連結されるとともに、ナットの締結箇所を変更することにより受け具と押え具の間隔が容易に調節されるという作用を有する。
【００１７】
第３の発明は、第１の発明又は第２の発明において、ジャッキは、上面に沿ってスライド移動可能に基台に載置される平板状の台座と、この台座に下端が固定されて鉛直方向と平行に設置される調整ネジと、からなることを特徴とするものである。
このような構造のフランジ付きカバー支持架台においては、第１の発明又は第２の発明の作用に加え、支持手段によってカバーを支持した状態でジャッキの台座を基台の上面に沿ってスライド移動させると、カバーが水平に移動するという作用を有する。
【００１８】
第４の発明は、第３の発明において、ジャッキの台座は平面視矩形状をなし、基台の上面には、断面がＬ字状をなす一対のガイド部材が台座を間に挟むように背中合わせの状態で互いに平行をなすように設置されたことを特徴とするものである。
このような構造のフランジ付きカバー支持架台においては、第３の発明の作用に加え、水平に設置された円筒体の軸方向と一対のガイド部材の長手方向が平行をなすように基台を配置すると、ジャッキ及び支持手段の移動方向が円筒体の軸方向と平行な方向のみに規制されるという作用を有する。
【００１９】
第５の発明は、第１の発明乃至第４の発明のいずれかにおいて、外周面に雄ネジ部を有する脚部を備え、基台には、この脚部が挿通される挿通孔が設けられたことを特徴とするものである。
このような構造のフランジ付きカバー支持架台においては、第１の発明乃至第４の発明のいずれかの作用に加え、脚部に締結されるナットの長手方向の位置を変更することにより、脚部が設置された部分の基台の高さが変化するという作用を有する。
【発明の効果】
【００２０】
第１の発明においては、第２のフランジの角部によるＯリング等への噛み込みを防いで、カバーを円筒体に対して正確に効率良く取り付けることができる。また、本発明は、構造が簡単であるため、安価に製造することができる。
【００２１】
第２の発明によれば、第１の発明の効果に加え、連結棒に螺合したナットを操作することで受け具と押え具の間隔が容易に調節されるため、支持手段に対するカバーの位置合わせを効率よく行うことができるという効果を奏する。
【００２２】
第３の発明によれば、第１の発明又は第２の発明の効果に加え、ジャッキが上面に載置される台車等をカバーと床面等との間に設置するスペースが確保できない場合であっても、カバーを正確に水平方向に移動させることができるという効果を奏する。
【００２３】
第４の発明によれば、第３の発明の効果に加え、水平に設置された円筒体の軸方向と一対のガイド部材の長手方向が平行をなすように基台を配置するとともに支持手段の高さをジャッキによって調整することで、当該機器に対して中心軸同士を正確に一致させた状態でカバーを水平方向へ移動させることができるという効果を奏する。
【００２４】
第５の発明によれば、第１の発明乃至第４の発明のいずれかの効果に加え、基台が設置される箇所に段差がある場合でも、脚部に対するナットの締結箇所を調節することにより、基台を水平な状態で設置できるという効果を奏する。
【図面の簡単な説明】
【００２５】
【図１】本発明の実施の形態に係るフランジ付きカバー支持架台の実施例の外観斜視図である。
【図２】本発明のフランジ付きカバー支持架台を用いて水室カバーの取り付け作業を行う際の手順を示したフローチャートである。
【図３】（ａ）及び（ｂ）は油冷却器において水室カバーが取り外された胴部の端部を拡大して示した縦断面図である。
【図４】（ａ）及び（ｂ）は図３（ｂ）において水室カバーが胴部に取り付けられる様子を示した図である。
【図５】（ａ）は油冷却器の外観図であり、（ｂ）は同図（ａ）における水室カバーとその周辺部を拡大した縦断面図であり、（ｃ）はフランジの平面図であり、（ｄ）はＯリングと環状板の平面図である。
【図６】（ａ）及び（ｂ）は図５（ｂ）におけるＡ部の拡大図である。
【発明を実施するための形態】
【００２６】
本発明のフランジ付きカバー支持架台について図１乃至図４を用いて説明する。なお、以下の説明では、油冷却器の胴部に水室カバーを取り付ける場合を例に挙げているが、本発明のフランジ付きカバー支持架台は、油冷却器に限らず、開口端にフランジが設けられた円筒状の各種機器に対してフランジ付きカバーを水平に移動させて取り付ける場合に適用可能である。
【実施例】
【００２７】
図１は本発明のフランジ付きカバー支持架台の外観の一例を示した斜視図である。なお、、図５及び図６を用いて既に説明した構成要素については、同一の符号を付して、その説明を省略する。
図１に示すように、フランジ付きカバー支持架台１は、台座２ａと調整ネジ２ｂからなるジャッキ２と、ジャッキ２が上面に設置される基台３と、ジャッキ２の上部に設置される支持手段４と、胴部５３と水室カバー５５のフランジ５３ａ，５５ａのボルト孔５３ｂ，５５ｂ（ボルト孔５３ｂについては図５（ｃ）参照。以下、同様。）に挿通されるガイドパイプ５を備えている。なお、台座２ａは平面視矩形状をなす平板材からなり、調整ネジ２ｂを鉛直上向きに伸長可能な状態で下端を台座２ａに固定されており、この調整ネジ２ｂの上端に支持手段４が取り付けられている。
【００２８】
また、平面視Ｈ状をなす基台１３ａと、この基台１３ａに立設されるとともに、上部に設置された受け具１３ｃを水平に支持する一対の調整ネジ１３ｂ，１３ｂと、からなる組込架台１３を備えている。なお、基台１３ａに設けられた複数の挿通孔には、外周面に雄ネジ部を有する複数の脚部１３ｄがそれぞれ挿通され、ナットを用いて固定されている。すなわち、組込架台１３は、脚部１３ｄの長手方向に対するナットの締結箇所を変更することにより、床面とのレベル調整が可能な構造となっている。
【００２９】
支持手段４は、水平方向と平行をなすとともに水室カバー５５の側面下部に対して当接可能に設置される長尺状の受け具６と、受け具６と平行をなすとともに水室カバー５５の側面上部に対して当接可能に設置される長尺状の押え具７と、外周面に雄ネジ部を有し、水室カバー５５を間に挟んだ状態で鉛直方向と平行に設置されて受け具６と押え具７を連結する一対の連結棒８，８を備えている。
また、受け具６と押え具７は、両端近傍に連結棒８の挿通孔がそれぞれ設けられた山形鋼であり、連結棒８は、この挿通孔に挿通された端部にナット９を締結することによって受け具６や押え具７に対して固定される。すなわち、支持手段４は、連結棒８の長手方向に対するナット９の締結箇所を変更することにより受け具６と押え具７の間隔を調節可能な構造となっている。
【００３０】
基台３は、平面視矩形状をなす平板材からなり、ジャッキ２の台座２ａが載置される上面には、断面がＬ字状をなす一対のガイド部材１０，１０が台座２ａを間に挟むように背中合わせの状態で互いに平行をなすように設置されている。この場合、台座２ａは一対のガイド部材１０，１０の背面に沿って、その長手方向へスライド移動可能に案内される。したがって、ガイド部材１０，１０の長手方向が水平に設置された胴部５３の円筒軸方向と平行をなすように基台３を配置した場合、ジャッキ２及び支持手段４の移動方向が胴部５３の円筒軸方向と平行な方向のみに規制されるため、支持手段４の高さをジャッキ２によって調整することで、胴部５３に対して中心軸同士を正確に一致させた状態で水室カバー５５を水平方向へ移動させることができる。
【００３１】
また、基台３には、外周面に雄ネジ部を有する一対の脚部１１，１１がガイド部材１０の長手方向の端部近傍に設けられた挿通孔に挿通されるとともに、ナット１２を用いて固定されている。すなわち、脚部１１は、脚部１１の長手方向に対するナット１２の締結箇所を変更することにより基台３の端部の高さを調節可能となっている。
したがって、支持台５２の台座５２ａの上面と床面の間に段差が生じているような場合であっても、脚部１１，１１に対するナット１２，１２の締結箇所をそれぞれ調節することにより基台３を水平な状態で設置することができる。
【００３２】
次に、本発明のフランジ付きカバー支持架台１を用いて水室カバー５５の取り付け作業を行う方法について図２乃至図４を用いて説明する。
図２は当該作業の手順を示したフローチャートである。また、図３（ａ）及び図３（ｂ）は油冷却器５１において水室カバー５５が取り外された胴部５３の端部を拡大して示した縦断面図であり、図４（ａ）及び図４（ｂ）は図３（ｂ）において水室カバー５５が胴部５３に取り付けられる様子を示した図である。なお、図３及び図４は図５（ｂ）に相当する図である。
【００３３】
油冷却器５１の開放点検後に水室カバー５５を胴部５３に取り付ける場合、図２に示すように、まず、ステップＳ１において胴部５３のフランジ５３ａの環状溝５６ａにＯリング５７を挿入した後、ステップＳ２において環状板５８を環状溝５６ｂに挿入するように胴部５３のフランジ５３ａに装着する（図３（ａ）参照）。次に、ステップＳ３において、Ｏリング５７をチューブプレート５４に外挿した後、ステップＳ４において、胴部５３側の組込架台１３と床面とのレベル調整を行い、胴部５３のフランジ５３ａの下側２か所のボルト孔５３ｂに対して、２本のガイドパイプ５がそれぞれのセンターに配置されるように組込架台１３の受け具１３ｃを上昇させる（図３（ｂ）参照）。
【００３４】
ステップＳ５では、チェーンブロック等を用いて水室カバー５５を吊り上げ、その下方にフランジ付きカバー支持架台１を設置する。この時、チェーンブロックを操作して水室カバー５５を下降させ、受け具６と押え具７によって上下から挟み込まれるように配置する。ただし、基台３はガイド部材１０の長手方向が胴部５３の軸方向と平行になるように配置されるものとする。このように、本発明のフランジ付きカバー支持架台１においては、受け具６と押え具７の間隔を容易に調節できるため、支持手段４に対する水室カバー５５の位置合わせを効率良く行うことができる。
【００３５】
次に、ステップＳ６〜Ｓ７では、下側２本のガイドパイプ５をフランジ５５ａのボルト孔５５ｂに挿入して水室カバー５５の高さを調整した後、調整ネジ２ｂを操作し、倒れ等の最終的な微調整を実施する。さらに、ステップＳ８では、胴部５３のフランジ５３ａのボルト孔５３ｂに一端が挿通された残り２本のガイドパイプ５の他端をフランジ５３ａのボルト孔５３ｂに対応するフランジ５５ａのボルト孔５５ｂにそれぞれ挿入する（図４（ａ）参照）。これにより、フランジ５５ａのボルト孔５５ｂの全てががフランジ５３ａのボルト孔５３ｂのそれぞれに対して対向するように水室カバー５５が配置されるとともに、水室カバー５５の中心軸が胴部５３の円筒軸と完全に一致した状態となる。
【００３６】
なお、本実施例では、倒れの微調整を行った後で、フランジ５５ａの下側のボルト孔５５ｂに２本のガイドパイプ５を挿入して微調整を行い、その後さらに、フランジ５５ａの上側のボルト孔５５ｂに残りの２本のガイドパイプ５を挿入する手順としているが、最初に倒れの微調整を行った後、上下４本のガイドパイプ５をフランジ５５ａのボルト孔５５ｂに挿入しても良い。
【００３７】
ステップＳ９では、支持手段４によって水室カバー５５を支持した状態でジャッキ２の台座２ａを一対のガイド部材１０，１０の背面に沿って、胴部５３に近づける方向へスライドさせることにより、水室カバー５５をフランジ５５ａが胴部５３のフランジ５３ａに当接するまで移動させる（図４（ｂ）参照）。このとき、フランジ５３ａのボルト孔５３ｂとフランジ５５ａのボルト孔５５ｂには４本のガイドパイプ５が挿通されているため、フランジ５３ａ，５５ａの位置関係及び水室カバー５５と胴部５３の中心軸同士の位置関係が崩れることはない。すなわち、ガイドパイプ５は、水室カバー５５の移動の前後を通じて、ボルト孔５３ｂとボルト孔５５ｂが対向するとともに、水室カバー５５の中心軸と胴部５３の円筒軸が一致した状態を維持するという作用を有する。これにより、水室カバー５５を胴部５３に対して正確に取り付けることが可能となる。
【００３８】
ステップＳ１０では、胴部５３のフランジ５３ａと水室カバー５５のフランジ５５ａとボルト孔５３ｂ，５５ｂに対し、まず、４〜８本のボルトを対角方向になるように取り付けて締め付けた後、ガイドパイプ５を抜き取り、残りのボルトをボルト孔５３ｂ，５５ｂに挿入して締結することにより、水室カバー５５のフランジ５５ａを胴部５３のフランジ５３ａに固定する。
その後、ステップＳ１１において、フランジ付きカバー支持架台１を撤去する。
【００３９】
以上説明したように、本発明のフランジ付きカバー支持架台１においては、周囲に十分な作業スペースを確保できない場所に油冷却器５１が設置されている場合であっても、ジャッキ２の台座２ａや基台３が車輪を有していないため、ジャッキ２と基台３を水室カバー５５の下方に設置することができる。
また、ジャッキ２を操作して受け具６によって支持された水室カバー５５の高さを調節するとともに、ガイドパイプ５を水室カバー５５のフランジ５５ａのボルト孔５５ｂと胴部５３のフランジ５３ａのボルト孔５３ｂに挿通させることにより、水室カバー５５の中心軸が胴部５３の円筒軸に対して正確に一致する。
そして、水室カバー５５の胴部５３に対するこのような位置関係は、ジャッキ２の台座２ａを基台３に対してスライドさせるようにして水室カバー５５を移動させる際に、ガイドパイプ５によって維持される。したがって、フランジ５５ａの環状溝５６ｂの角部によるＯリング５７の噛み込みを防いで、水室カバー５５を胴部５３に対して正確に効率良く取り付けることができる。
さらに、本発明のフランジ付きカバー支持架台１では、ジャッキ２の台座２ａと基台３と支持手段４の構造が簡単であるため、安価に製造することが可能である。
【００４０】
本実施例では、フランジ５３ａ，５５ａのボルト孔５３ｂ，５５ｂに対してガイドパイプ５を挿通させているが、必ずしも筒状体でなくとも良いため、例えば、ガイドパイプ５の代わりに中実の棒状体を用いることもできる。ただし、所定の剛性を満足できるのであれば、筒状体の方が中実の棒状体よりも軽量で扱い易いというメリットがある。
【産業上の利用可能性】
【００４１】
本発明は、フランジ付きカバーを有する円筒状の機器において、開放点検後にフランジ付きカバーを再び取り付ける際に利用可能である。
【符号の説明】
【００４２】
１…フランジ付きカバー支持架台  ２…ジャッキ  ２ａ…台座  ２ｂ…調整ネジ  ３…基台  ４…支持手段  ５…ガイドパイプ  ６…受け具  ７…押え具  ８…連結棒  ９…ナット  １０…ガイド部材  １１…脚部  １２…ナット  １３…組込架台  １３ａ…基台  １３ｂ…調整ネジ  １３ｃ…受け具  １３ｄ…脚部  ５１…油冷却器  ５２…支持台  ５２ａ…台座  ５３…胴部  ５３ａ…フランジ  ５３ｂ…ボルト孔  ５４…チューブプレート  ５５…水室カバー  ５５ａ…フランジ  ５５ｂ…ボルト孔  ５６ａ，５６ｂ…環状溝  ５７…Ｏリング  ５８…環状板    
【図１】
2018132270.tif 000003
【図２】
2018132270.tif 000004
【図３】
2018132270.tif 000005
【図４】
2018132270.tif 000006
【図５】
2018132270.tif 000007
【図６】
2018132270.tif 000008